(57)【要約】【課題】  光変調素子とＰＣＢを確実に電気的に接続でき、かつ効果的な放熱性能を持つ光変調ユニットであって、さらには、光変調素子とＰＣＢ間の位置調整にかかる手間を簡略化することができる光変調ユニットを提供すること。【解決手段】  光変調ユニットは、光変調素子が収納されるソケットと、光変調素子を駆動制御する回路基板と、ソケットと回路基板との間隔を規定する間隔規定手段と、光変調素子と回路基板との間に配設され、両者を電気的に接続させる弾性ある導電性部材と、光変調素子に対する放熱手段と、導電性部材よりも大きな厚みを有し、弾性ある熱伝導部材とを備え、導電性部材および回路基板は、それぞれ、光変調素子の放熱部に対応する位置に開口を有し、熱伝導部材は開口を介して放熱部に当接され、導電性部材と熱伝導部材は、それぞれ、固定による、両者の圧縮率比が、１：４〜３：４内であるような厚みに設定されるような構成にした。【選択図】      図２
2005128369.tif 000002
【特許請求の範囲】
【請求項１】
ＬＧＡ構造を持つ光変調素子と、
該光変調素子が収納されるソケットと、
前記光変調素子を駆動制御する回路基板と、
前記ソケットと前記回路基板との間隔を規定する間隔規定手段と、
前記光変調素子と前記回路基板との間に配設され、前記光変調素子と前記回路基板を電気的に接続させる、弾性ある導電性部材と、
前記光変調素子から発生される熱を外部に放出する放熱手段と、
前記導電性部材よりも大きな厚みを有し、前記熱を前記放熱手段に伝えるための、弾性ある熱伝導部材と、を備え、
前記光変調素子は、前記導電性部材に対向する面に放熱部を有し、
前記導電性部材および前記回路基板は、それぞれ、前記放熱部に対応する位置に開口を有し、
前記熱伝導部材は、前記開口を介して前記放熱部に当接され、前記光変調素子から発せられる熱を前記放熱手段に伝え、
前記導電性部材と前記熱伝導部材は、それぞれ、前記放熱手段と前記ソケット間で各要素を固定することによる、該導電性部材と該熱伝導部材の圧縮率の比が、１：４〜３：４の範囲内であるような厚みに設定されることを特徴とする光変調ユニット。
【請求項２】
請求項１に記載の光変調ユニットにおいて、
前記間隔規定手段によって規定される間隔をＤ１、前記導電性部材の厚みをＤ２、前記熱伝導部材の厚みをＤ４、前記回路基板の厚みをＤ５とすると、以下の関係、
Ｄ１＜Ｄ２＜Ｄ１＋Ｄ５＜Ｄ４＜Ｄ２＋Ｄ５
を満たすことを特徴とする光変調ユニット。
【請求項３】
請求項１または請求項２に記載の光変調ユニットにおいて、
前記導電性部材と前記熱伝導部材は、それぞれ、前記放熱手段と前記ソケット間で各要素を固定することによる、該導電性部材と該熱伝導部材の圧縮率の比が、１：２であるような厚みに設定されることを特徴とする光変調ユニット。
【請求項４】
請求項１から請求項３のいずれかに記載の光変調ユニットにおいて、
前記導電性部材の開口は、前記導電性部材の略中央部に設けられ、
前記回路基板の開口は、前記回路基板において、前記光変調素子の配置領域における略中央部に設けられることを特徴とする光変調ユニット。
【請求項５】
請求項１から請求項４のいずれかに記載の光変調ユニットにおいて、
前記熱伝導部材は、前記回路基板の面と平行な面における断面形状が前記開口と略同一形状であることを特徴とする光変調ユニット。
【請求項６】
請求項１から請求項５のいずれかに記載の光変調ユニットにおいて、
前記熱伝導部材は、両面に弾性ある熱伝導シートを貼付した金属板であることを特徴とする光変調ユニット。
【請求項７】
請求項１から請求項６のいずれかに記載の光変調ユニットにおいて、
前記導電性部材は、両端を所定量突出させた直線状の弾性かつ導電性ある線条部材が複数配設される、絶縁性を持つ弾性基板を有し、
前記線条部材は、前記光変調素子と前記回路基板における一対のランドの電気的接続に複数本用いられるような所定の密度で、前記厚み方向に沿って配設されていることを特徴とする光変調ユニット。
【請求項８】
請求項１から請求項７のいずれかに記載の光変調ユニットにおいて、
前記線条部材は、前記弾性基板における、少なくとも前記光変調素子が有する複数のランド全てを包含する所定領域全域にわたって配設されていることを特徴とする光変調ユニット。
【請求項９】
請求項１から請求項８のいずれかに記載の光変調ユニットにおいて、
前記間隔規定手段は、前記ソケットと前記回路基板のいずれか一方に配設されるボスであることを特徴とする光変調ユニット。
【請求項１０】
請求項１から請求項９のいずれかに記載の光変調ユニットにおいて、
前記光変調素子は、ＤＭＤ（登録商標）であることを特徴とする光変調ユニット。
【発明の詳細な説明】
【技術分野】
【０００１】
この発明は、例えばＤＭＤ（登録商標。以下、同様とする）等のＬＧＡ（Land Grid Array）構造を持つ光変調素子と該光変調素子を駆動制御するための回路基板（以下、ＰＣＢ（Printed Circuit Board）という）を備えた光変調ユニットに関する。
【背景技術】
【０００２】
従来、ＬＧＡ構造を持つ光変調素子とＰＣＢを電気的に接続しつつ固定する手法としていくつか知られている。例えば、両者の間にボール状の半田を配置し、該半田を加熱することによって両者を固定させる手法（ＢＧＡ（Ball Grid Array））が知られている。
【０００３】
しかし、ＢＧＡによって光変調素子およびＰＣＢを固着する場合、半田を加熱する際に光変調素子も加熱されてしまうおそれや該素子を交換する際に手間がかかるおそれ等が問題点として指摘されている。
【０００４】
これに対し、近年、プラスティック製の板状体にＣ型のスプリング構造の金属板（以下、単にＣ型スプリングという）を埋め込んだコネクタ（以下、便宜上、Ｃコンタクトコネクタという）を用いて光変調素子とＰＣＢを電気的に接続する手法が提案されている。該提案は、以下の特許文献１に例示される。
【０００５】
【特許文献１】特開平１１−２０４２１５号公報
【０００６】
上記特許文献１に記載のＣコンタクトコネクタは、光変調素子とＰＣＢの電気的接続にＣ型スプリングという特殊形状の導電体を用いている。そして、ネジ等を用いて光変調素子をＰＣＢに固定することによってＣ型スプリングが押圧される。このとき該Ｃ型スプリングに生じる反発力によって光変調素子、ＰＣＢ間の電気的接続を実現している。以上のように電気的な接続を実現する部材に弾性を持たせる構成にしたため、該コネクタは構造が非常に複雑になり、かつ製造にコストがかかるといった問題がある。また、特許文献１によれば、光変調素子におけるランド、該ランドに対応する基板のランド、そして両者の間に介在するＣ型スプリングがすべて一対一で対応する、つまり一つのＣ型スプリングが一対のランドを電気的に接続する役割を担っている。そのため該光変調素子を備える光変調ユニットを製造する際、光変調素子、ＰＣＢ、そしてＣコンタクトコネクタの相対的な位置調整に非常に高い精度が要求される。そのため、光変調素子とＰＣＢを固定する際に非常に手間がかかるといった問題もあった。
【０００７】
また、ＤＭＤ等の光変調素子は駆動によりかなりの高熱を発生する。そのため、該素子およびユニット全体の安定した駆動を保証するために発生した熱をユニット外に放出する必要がある。光変調ユニットにおける放熱（冷却）構造については、例えば、以下の特許文献２に示されている。
【０００８】
【特許文献２】特開２００２−１７４７９５号公報
【０００９】
上記特許文献２では、ＤＭＤから発生した熱を、銅またはアルミニウムの熱伝導部材を介して放熱部（ヒートシンク）へ伝えている。ここで、上述のようにＤＭＤは、該ＤＭＤ駆動制御用のＰＣＢに電気的に接続される。従って、特許文献２の構成のように、熱伝導部材の材料として厚さが固定される金属を使用した場合、ＤＭＤとＰＣＢの電気接続を保証しつつ、放熱効果も良好にするためには、精確な寸法の部材を用いて高精度での位置決めをしつつ固定することが要求される。そのため、より一層の人的、時間的負担が要求されてしまうという問題もあった。
【発明の開示】
【発明が解決しようとする課題】
【００１０】
以上の事情に鑑み、本発明は、ＬＧＡ構造を持つ光変調素子とＰＣＢを確実に電気的に接続でき、かつ該光変調素子から発せられる熱を効果的に外部に放出することができる光変調ユニットであって、さらには、該光変調素子とＰＣＢ相互の位置調整にかかる手間を簡略化して製造することができる光変調ユニットを提供することを目的とする。
【課題を解決するための手段】
【００１１】
上記課題を解決するため、請求項１に記載の光変調ユニットは、ＬＧＡ構造を持つ光変調素子と、該光変調素子が収納されるソケットと、光変調素子を駆動制御する回路基板と、ソケットと回路基板との間隔を規定する間隔規定手段と、光変調素子と回路基板との間に配設され、光変調素子と回路基板を電気的に接続させる、弾性ある導電性部材と、光変調素子から発生される熱を外部に放出する放熱手段と、導電性部材よりも大きな厚みを有し、熱を放熱手段に伝えるための、弾性ある熱伝導部材と、を備え、光変調素子は、導電性部材に対向する面に放熱部を有し、導電性部材および回路基板は、それぞれ、放熱部に対応する位置に開口を有し、熱伝導部材は、開口を介して放熱部に当接され、光変調素子から発せられる熱を放熱手段に伝え、導電性部材と熱伝導部材は、それぞれ、放熱手段とソケット間で各要素を固定することによる、該導電性部材と該熱伝導部材の圧縮率の比が、１：４〜３：４の範囲内であるような厚みに設定されることを特徴とする。
【００１２】
請求項１に記載の光変調ユニットによれば、弾性ある導電性部材によって光変調素子と回路基板とを確実に電気的接続することができる。同時に、弾性ある熱伝導部材によって光変調素子から発した熱を効果的に放熱手段に伝えることが可能になる。なお、上記の間隔規定手段は、光変調素子と回路基板との間に配設された導電性部材の収縮の度合いを規定する手段としても機能する。
【００１３】
上記構成の光変調ユニットにおいて、電気的接続と放熱効果を確保すると共により小型化、薄型化を実現するためには、間隔規定手段によって規定される間隔Ｄ１、導電性部材の厚みＤ２、熱伝導部材の厚みＤ４、回路基板の厚みＤ５が、以下の条件、
Ｄ１＜Ｄ２＜Ｄ１＋Ｄ５＜Ｄ４＜Ｄ２＋Ｄ５
を満たすように構成することが望ましい（請求項２）。なお、Ｄ１＋Ｄ５よりもＤ４を大きく設定することにより、熱伝導部４２が固定によって必ず圧縮される。また、Ｄ２＋Ｄ５よりもＤ４を小さく設定することにより、熱伝導部４２よりもコネクタ１０を大きく圧縮させることができる。
【００１４】
上記の光変調ユニットにおいて、光変調素子と回路基板間の電気的接続をより一層確実なものとするとともに、より効果的な放熱性能を得るためには、放熱手段とソケット間で各要素を固定することによる、該導電性部材と該熱伝導部材の圧縮率の比が、１：２であるような厚みに導電性部材と前記熱伝導部材を設定すればよい（請求項３）。
【００１５】
また、上記の各開口は、導電性部材および回路基板の略中央部に設けられていることが望ましい（請求項４）。このような位置に開口を設けることにより、該開口を基準として光変調素子、導電性部材、回路基板の位置決めを容易に行うことができる。詳しくは、光変調素子の放熱部が導電性部材と回路基板の開口から見えるように各部材を位置決めすれば、一対のランドは、自動的に導電性部材を介して電気的接続できるような位置に配置される。
【００１６】
さらには、熱伝導部材は、回路基板の面と平行な面における断面形状が開口と略同一形状であることが望ましい（請求項５）。このような構成によれば、熱伝導部材を各開口を介して光変調素子の放熱部に当接することにより、上記の位置決めを自動的に行うことができる。なお、熱伝導部材としては、両面に弾性ある熱伝導シートを貼付した金属板、例えばアルミ板を用いることが望ましい（請求項６）。
【００１７】
請求項７に記載の発明によれば、導電性部材は、両端を所定量突出させた直線状の弾性かつ導電性ある線条部材が複数配設される、絶縁性を持つ弾性基板を有する構成にしている。そして線条部材は、光変調素子と回路基板における一対のランドの電気的接続に複数本用いられるような所定の密度で、厚み方向に沿って配設されている。
【００１８】
請求項７に記載の発明によれば、複数の線条部材の両端を対となるランドに接触させることにより光変調素子と回路基板を電気的に接続することができる。つまり、半田による接続を行わないため、ＢＧＡとは異なり、光変調素子や基板が加熱によって悪影響をうけるおそれがない。また本発明は、上記のように直線状の線条部材を電気的な接続を実現する部材として使用している。従って本発明に係るコネクタは、特許文献１に例示される従来の提案とは異なり、非常に簡易な構成になっている。しかも、構成部材を特殊な形状に加工する工程が省かれるため、本発明に係るコネクタは、容易かつ安価に製造することができる。
【００１９】
請求項８に記載の光変調ユニットによれば、線条部材は、弾性基板における、少なくとも光変調素子が有する複数のランド全てを包含する所定領域全域にわたって配設されていることが望ましい。これにより、接続作業時において、光変調素子や回路基板上にある全てのランドが載るようにコネクタを配置するだけで、光変調素子と回路基板の電気的な接続が行われる。つまり、特許文献１のようにＣ型コネクタと各ランドとの相対的な位置調整を高い精度をもって行う必要が無くなる。
【００２０】
例えば、所定の密度としては、光変調素子と回路基板における一対のランドが、少なくとも３本の線条部材によって接続されるような密度であることが望ましい。このように、複数本、より具体的には少なくとも３本以上の針金によって一対のランド間の電気的接続が行われるようにすれば、たとえ何本かの線条部材が断線または接触不良になったとしても、他の針金によって電気的接続が保証されることになる。
【００２１】
上記間隔規定手段としては、ソケットと回路基板のいずれか一方に配設されるボス（請求項９）や、スペーサなどが例示される。なお、直線状の弾性ある線条部材としては、針金が好適である。
【００２２】
なお、ＬＧＡ構造を持つ光変調素子としてはＤＭＤが好適である（請求項１０）が、他にもＬＣＯＳ等を使用することもできる。
【発明の効果】
【００２３】
以上のように本発明によれば、所定の圧縮率を備えるように厚みを設定された弾性ある導電性部材と熱伝導部材を用いることにより、光変調素子と回路基板とを確実に電気的接続することができると同時に、光変調素子から発した熱を効果的に放熱手段に伝えることが可能になる。また、熱伝導部材が光変調素子の放熱部に当接することにより、自動的に各部材間の相対的な位置決めが行われるため、製造時における労力を軽減することができる。
【発明を実施するための最良の形態】
【００２４】
以下、本発明の実施形態の光変調ユニットについて、図を参照しつつ説明する。図１は、本実施形態の光変調ユニット１００を側面から見た図である。また、図２は、光変調ユニット１００を構成要素毎に分解して示す斜視図である。図１、図２に示すように、光変調ユニット１００は、コネクタ１０、反射型表示デバイス２０、ＰＣＢ３０、放熱材４０、ヒートシンク５０を有する。なお、反射型表示デバイス２０とは、例えばＤＭＤやＬＣＯＳなどの光変調素子をソケットに収納することによりＰＣＢ３０に取り付け可能な構成になっているものを意味する。
【００２５】
反射型表示デバイス２０は、図２に示すように、ＤＭＤ等の光変調素子（本体２１）、本体２１を収納するソケット２２からなる。本体２１の底面（つまり、後述するコネクタ１０と接合する面）には、略中央部に放熱板、放熱板の周囲に複数の第一ランド（いずれも不図示）が設けられている。また、ソケット２２は、略中央部に本体２１の収納部である凹部が形成されており、該凹部以外の部位は平面状になっている。本体２１は、線バネ材２３によって底面における対角方向（図中、太い矢印で示す方向）に付勢されることにより、該凹部に嵌合される。該平面部の四方の周辺近傍には所定高さＤ１分突起した略同一形状の４つのボス２５が配設されている。ボス２５は、反射型表示デバイス２０とＰＣＢ３０の間隔を規定するために設けられているだけでなく、コネクタ１０の収縮の程度を規定する作用も持つ。コネクタ１０の収縮については後述する。なお、ボス２５は、各部材１０〜５０を固定するためのネジＳを挿通するための中空部Ｈ１が設けられている。
【００２６】
図３は、本実施形態のコネクタ１０を拡大して示す正面図である。図３に示すように、コネクタ１０は、例えば硬度８０程度のシリコンゴム等の弾性かつ絶縁性ある部材からなる基板１と、基板１の略全域にわたって所定の密度をもって基板１に配設された無数の針金２とを有する。基板１の略中央部には開口（第一開口）ＡＰ１が設けられている。第一開口ＡＰ１の大きさは、前述の放熱板と略同一に設計される。
【００２７】
図４は、図３に示すコネクタ１０のＡ−Ａ線における断面図である。図４に示すように複数の針金２は、直線形状であって、どれも略均等な長さを有する。より具体的にはどの針金２も基板１の厚みＤ２よりも若干量長い寸法Ｄ３を有する。そして、各針金２は、両端を所定長さ分突出させた状態で基板１に配設されている。各針金２の配設方向は、基板１の厚み方向と略一致する。
【００２８】
なお、本実施形態の基板１は、ボス２５に対応する位置に貫通穴Ｈ２を有する凸部１Ａが設けられている。貫通穴Ｈ２は、ボス２５における突起方向と直交する断面での形状と略同一形状に設計される。
【００２９】
ＰＣＢ３０は、コネクタ１０（さらには反射型表示デバイス２０）に対向する面に、反射型表示デバイス２０を駆動制御するための回路（不図示）が形成されている。なお、図２では、該回路自体は示していないが、該回路のうち、各第一ランドと電気的接続される部位（第二ランド）３１のみ示す。また、本文においては、説明の便宜上、互いに電気的接続される一つの第一ランドと一つの第二ランド３１を、反射型表示デバイス２０とＰＣＢ３０における一対のランドという。
【００３０】
さらに、ＰＣＢ３０における、反射型表示デバイス２０（およびコネクタ１０）の配置領域の略中央には開口（第二開口）ＡＰ２が設けられている。第二開口ＡＰ２は、第一開口ＡＰ１と同様、放熱板と略同一の大きさに設計される。
【００３１】
図２に示すように、放熱材４０は、平面状のベース４１と、熱伝導部４２からなる。本実施形態の熱伝導部４２は、ベース４１側から順に、熱伝導シート４２ａ、所定量の厚みを持ったアルミ板４２ｂ、熱伝導シート４２ｃの計三つの部材が貼り合わされて構成される。各部材４２ａ〜４２ｃは、各開口ＡＰ１、ＡＰ２と略同一形状の断面形状を有する。なお、本実施形態の熱伝導シート４２ａ、４２ｃは、収縮自在で熱伝導可能な弾性部材、例えば硬度６０程度のシリコンゴムを想定する。
【００３２】
なお、ＰＣＢ３０、放熱材４０には、固定時にネジＳを挿通させるためのネジ穴Ｈ３が設けられている。
【００３３】
上記の各部材１０〜４０は、ネジＳによって相互に固定される。本実施形態では、ネジＳは、ベース４１側から挿入され、ネジ穴Ｈ３、貫通穴Ｈ２、中空部Ｈ１を介して各部材１０〜４０を螺合する。また、熱伝導部４２は、開口ＡＰ１、ＡＰ２を介してベース４１と本体２１の底面にある放熱板に当接される。なおヒートシンク５０は、ベース４１においてＰＣＢ３０と対向する面と反対側の面に当接された状態で固定される。ヒートシンク５０の固定は、他の部材を固定するためのネジＳとは異なる形状のネジＳ’を用いて行われる。
【００３４】
このとき、コネクタ１０と反射型表示デバイス２０とＰＣＢ３０との相対的な位置決めは、主として、各開口ＡＰ１、ＡＰ２および各開口に挿入される放熱材４０の熱伝導部４２によって実行される。また、本実施形態では、補助的な位置決め手段として、コネクタ１０の凸部１Ａにボス２５をそれぞれ挿入する構成を採っている。このように二種類の位置決め手段を用いることにより、各部材１０〜３０に関するより精度の高い位置調整が行われる。
【００３５】
図５は、ＰＣＢ３０近傍を構成部材毎に分解して示す側面図である。本実施形態において、ボス２５の厚み（つまり、ボス２５によって規定される反射型表示デバイス２０とＰＣＢ３０の間隔）Ｄ１は１．６ｍｍ、コネクタ１０の厚みＤ２は２．０ｍｍ、放熱材４０の熱伝導部４２の厚みＤ４は２．８ｍｍ、ＰＣＢ３０の厚みＤ５は１．０ｍｍとして構成される。
【００３６】
ネジＳによる固定が行われると、コネクタ１０および熱伝導部４２は、反射型表示デバイス２０とＰＣＢ３０双方から押圧される。図６は、各部材１０〜５０がネジＳにより固定された時、換言すれば図１に示す光変調ユニット１００におけるコネクタ１０の状態を示す図である。上記の通り、コネクタ１０を構成する基板１と針金２はいずれも弾性を備えるため、コネクタ１０は、図６中矢印で示すような厚み方向に押圧されると、収縮する。また、コネクタ１０（基板１）の収縮に伴って、針金２は基板内部でたわむが、折れたり、切れたりすることはない。そして、コネクタ１０は、収縮すると同時に押圧された方向、つまり図６中矢印に示す方向と逆方向に反発力を生じる。そのため、基板１から突出した針金先端部は、各ランド２４、３１に押しつけられる状態となり、半田を使用しなくても確実に電気的な接続が実現される。
【００３７】
図７は、ネジＳにより固定された状態にある各部材１０〜４０を示す側面図である。上記の通り、コネクタ１０の厚みＤ２は、ボス２５の厚みＤ１よりも大きく設定されている。また、熱伝導部４２の厚みＤ４は、ボス２５の厚みＤ１とＰＣＢ３０の厚みＤ５の和よりも大きく設定されている。従って、ベース４１と反射型表示デバイス２０（ボス２５）のネジ固定が行われると、熱伝導部４２よりもコネクタ１０の方がより大きく収縮する。
【００３８】
具体的には、コネクタ１０はボス２５の厚みＤ１に制限されるため、肉厚がＤ２からＤ２’（＝１．６ｍｍ）になる。つまり、コネクタ１０は、固定により０．４ｍｍ収縮される。これに対し、熱伝導部４２は、固定により、ボス２５の厚みＤ１およびＰＣＢ３０の厚みＤ５の和に等しい厚みＤ４’(＝２．６ｍｍ)に収縮される。つまり、熱伝導部４２は、固定により０．２ｍｍ収縮される。なお、熱伝導部４２の収縮とは、より具体的には、２枚の熱伝導シートの収縮である。以上のように、本実施形態において、熱伝導部４２とコネクタ１０の互いの圧縮率の比は、１：２に設定されている。
【００３９】
表１は、コネクタ１０の厚みＤ２および熱伝導部４２の肉厚Ｄ４を変更することにより上記圧縮率の比を変化させた場合における、本体２１とＰＣＢ３０の電気的接続の可否（導通状態）、およびヒートシンク５０による放熱性の効果を表した表である。
【００４０】
【表１】
2005128369.tif 000003
【００４１】
表１の電気的接続の項において、○は電気的接続がなされている状態を示し、×は電気的接続されていない状態を示す。また同表の放熱効果の項において、◎は十分な放熱効果が得られていることを示し、以下、○、×の順に効果が低減することを示す。表１に示すように、熱伝導部４２とコネクタ１０における圧縮率の比が１：４〜３：４で規定される関係であるように両者の厚みを設定した場合に、電気的接続が確実になされつつ、かつ適度に放熱効果も得られることが分かる。また、上記圧縮率の比が１：２である場合、電気的接続が確実になされつつ、かつ光変調ユニットの安定した動作を保証できる程度に十分な放熱効果が得られていることも分かる。つまり、本実施形態の光変調ユニット１００は、本体２１とＰＣＢ３０の電気的接続に関する性能、および反射型表示デバイス２０から発せられる熱に関する放熱性能の双方が極めて良好な設計になっている。
【００４２】
以上より、光変調ユニット１００を構成する各部材の厚みには、以下のような関係がある。
Ｄ１＜Ｄ２＜Ｄ１＋Ｄ５＜Ｄ４＜Ｄ２＋Ｄ５
ここで、Ｄ１＋Ｄ５よりもＤ４が大きいのは、熱伝導部４２が圧縮されることを意味する。また、Ｄ２＋Ｄ５よりもＤ４が小さいのは、熱伝導部４２よりもコネクタ１０の方が大きく圧縮されることを意味する。
【００４３】
なお、熱伝導部４２の厚さを過大にすることにより、熱伝導部４２とベース４１または本体２１との接触を確実にする構成も想定される。しかし、該構成によるとベース４１とソケット２２によりコネクタ１０とＰＣＢ３０および熱伝導部４２を固定保持しているため、厚さを過大にする分、熱伝導シート４２ａ、４２ｃの固定前の表面積や硬度を小さく設定して、本体の放熱板全域に該シートが隙間無く広がりつつ当接するようにしなければならない。また押圧によって無用にシートが広がり、開口ＡＰ１から部材間（例えばコネクタ１０と本体２１間）へ該シート端部が流入することにより、本体２１とＰＣＢ３０の電気的接続が不安定になるおそれもある。よって、上記の想定される構成は、設計や組み立て時においてより高い精度での作業が要求される。以上より、本発明の構成としては適さない。
【００４４】
なお、本実施形態のコネクタ１０における針金２の配置密度は、一対のランドに少なくとも３本の針金が当接するような密度に設定されている。このように、複数本の針金が一対のランドの電気的接続に寄与するような密度で、針金２を基板１に配置することにより、より確実な電気的接続を保証している。
【００４５】
以上より、本実施形態の光変調ユニット１００は、各部材１０〜５０をネジＳにより固定すると、相互の部材間の位置決め、およびコネクタ１０を介した反射型表示デバイス２０とＰＣＢ３０の電気的接続が、自動的に行われることになる。加えて、該固定により、本体２１の底面に設けられた放熱板と、放熱材４０と、ヒートシンク５０とが互いに当接した状態で堅固に固定されるため、反射型表示デバイス２０で発生した熱は、ヒートシンク５０から光変調ユニット１００外部に効果的に放出される。
【００４６】
以上が本発明の実施形態である。なお、上記の実施形態はあくまでも本発明に係るコネクタおよび該コネクタを用いた光変調ユニットの一例である。つまり本発明に係るコネクタおよび光変調ユニットは、上記実施形態の構成に限定されるものではない。
【００４７】
例えば、光変調ユニット１００において、ボス２５は、必ずしもソケット２２に設ける必要はなく、いくつかまたは全てＰＣＢ３０に設けても上記実施形態と同様の効果を得ることができる。
【００４８】
また、コネクタ１０において、導電部材である針金２は、必ずしも基板１の略全域に配設されなくてもよい。針金２は、少なくとも全ての第一および第二ランドを覆う範囲に設けられていればよい。また、基板１に配設される導電部材は、針金でなくても、弾性と導電性を持つ線条部材であれば本発明を実施することができる。
【００４９】
さらに上記実施形態のコネクタ１０は、補助的位置決め手段として機能する凸部１Ａ（および貫通穴Ｈ２）を有すると説明した。凸部１Ａは、従来のコネクタの形状にならって設けただけのものである。既述の通り、光変調ユニット１００の各部材１０〜５０は、開口ＡＰ１、ＡＰ２や放熱材４０の熱伝導部４２によって、かなりの高精度をもって位置決めされている。従って、より一層のコストダウンや組み立て工程の簡略化を図るのであれば、凸部１Ａは、必ずしも設けるに及ばない。つまり、ネジＳを貫通穴Ｈ２と中空部Ｈ１に挿通させることによって行う位置決めは必ずしも行わなくても良い。
【図面の簡単な説明】
【００５０】
【図１】本発明の実施形態の光変調ユニットを側面から見た図である。
【図２】本発明の実施形態の光変調ユニットを構成部材毎に分解して示す斜視図である。
【図３】本発明の実施形態のコネクタを拡大して示す正面図である。
【図４】実施形態のコネクタ１０のＡ−Ａ線における断面図である。
【図５】実施形態のＰＣＢ近傍を構成部材毎に分解して示す側面図である。。
【図６】実施形態の光変調ユニットにおけるコネクタの収縮状態を示す図である。
【図７】ネジにより固定された状態にあるＰＣＢ近傍を示す側面図である。
【符号の説明】
【００５１】
１    基板
２    針金
１０    コネクタ
２０    反射型表示デバイス
２４    第一ランド
２５    ボス
３０    ＰＣＢ
３１    第二ランド
４０    放熱材
５０    ヒートシンク
１００    光変調ユニット
ＡＰ１、ＡＰ２    開口
【図１】
2005128369.tif 000004
【図２】
2005128369.tif 000005
【図３】
2005128369.tif 000006
【図４】
2005128369.tif 000007
【図５】
2005128369.tif 000008
【図６】
2005128369.tif 000009
【図７】
2005128369.tif 000010